(57)【要約】【課題】分相起動モータで運転するディスポーザーにおける起動リレーの不調を簡単に回復させる。【構成】厨芥を投入する破砕室２に回転刃３をそなえ、この回転刃３を駆動する分相起動モータ６を下方に取り付けたディスポーザーにおいて、この分相起動モータ６を起動させる起動リレー１０を下側ブラケット８の内側に設け、ブラケット８に前記起動リレー１０に向けた孔１１を設けている。起動リレー１０が不調の場合は、この孔１１から操作棒１２を挿入して上下動させ、先端部で遠心スイッチ１０に衝撃を与えることによって、遠心スイッチ１０内の部品の歪みなどを回復させ正常に起動させる。【選択図】        図１
2004305798.tif 000002
【特許請求の範囲】
【請求項１】
厨芥の投入口に続く破砕室に回転刃をそなえ、この回転刃を駆動する分相起動モータを下方に取り付けているディスポーザーにおいて、前記分相起動モータを起動させる起動リレーを下側ブラケットの内側に設け、下側ブラケットに前記起動リレーに向けた孔を設け、前記孔に挿入する操作棒を設けたことを特徴とするディスポーザー。
【請求項２】
前記下側ブラケットの孔に上下動可能に挿入し、抜け止めフランジを下側ブラケットの内側に接触させて保持した操作棒を設け、この操作棒の先端部を、ブラケット内側の起動リレーに近接させている請求項１のディスポーザー。
【発明の詳細な説明】
【０００１】
【発明の属する技術分野】
本発明は、分相起動モータで運転されるディスポーザーに関し、起動リレーの不調により運転できないときの処理を簡単にしたものである。
【０００２】
【従来の技術】
厨芥を破砕処理するディスポーザーの運転に分相起動式の単相モータを用いた場合は、起動時に、ソレノイド式のリレーや遠心スイッチなどの起動リレーが用いられている。
ソレノイド式のリレーは、たとえば、
【特許文献１】特開平５−１３７３６２号のように、リレーコイルを巻装したボビン内に、プランジャーやリレー接点機構を収納して、プランジャーの軸を囲むコイルバネを設け、プランジャーの動作で接点を開閉させるようにしている。また、遠心スイッチは、たとえば
【特許文献２】特開平１１−２５８２５号に示されているように、ケース内に２個の導体とコイルバネに連結した鋼体を対向させて収納し、鋼体をコイルバネで引っ張って導体を開路状態に保っており、鋼体に遠心力が加わるとコイルバネに抗して移動し、導体に接触させて閉路させるようにしている。
【０００３】
図３は常閉接点にした遠心スイッチの例を示すもので、ケース２０の両側に接点をそなえた導体２１、２２をそなえ、この接点に対向させた橋絡片２３を、ばね２４で押圧させ、矢印方向の遠心力が加わると橋絡片２３がばね２４に抗して移動し、接点を開くようにしている。
【０００４】
【発明が解決しようとする課題】
しかし、家庭用などのディスポーザーは、一般に破砕室内に厨芥を投入した後に起動させるバッチ式が用いられており、破砕室の底部に設けられモータの回転軸に連結した回転刃の上面に、固定式やスイング式のハンマーをそなえており、この回転板の上に厨芥が不平均に投入されるため、起動時に回転刃の回転に伴って振動を生じやすく、この振動が回転軸や起動リレーに伝達される。
このため、起動リレーのケース内に収納された接点機構やバネが振動による影響を受け易く、円滑な動作が妨げられて起動リレーの不調を生じ、モータが起動しないことがあり、そのたびにモータのブラケットを分解して、起動リレーの点検を行う必要があった。
【０００５】
本発明は、このような起動不能が、起動リレーの振動による内部部品の傾きや摩擦などの歪みで動作が阻害され、起動リレーに僅かな衝撃を与えることで回復する場合が多いことにかんがみ、リレーの不調による起動不能を、モータの分解を行わずに解決させるようにしたものである。
【０００６】
【課題を解決するための手段】
このため、分相起動モータを本体下方に取り付けているディスポーザーにおいて、前記分相起動モータの起動リレーを下側ブラケットの内側面に近づけた位置に取り付け、下側ブラケットに前記起動リレーに向けられた孔を設け、起動リレーが不調の場合は、この孔から操作棒を挿入して、起動リレーに衝撃を与えてリレー動作を回復させるようにしている。
また、前記下側ブラケットの孔に、上下動可能に支持させて先端部を起動リレーに近接させた操作棒をそなえておくことにより、起動しない時に操作棒を押し上げて起動リレーに衝撃を与えることができる。
【０００７】
【発明の実施の態様】
これを図１に示す実施例について説明する。
１はディスポーザーで、破砕室２内の底部に回転刃板３を設け、この回転刃板３の上面に１個または数個の固定式あるいはスイング式の打撃刃４をそなえている。５はケーシングの内壁に設けられ前記回転刃板３に対向する固定刃、６は回転刃板５を回転させるモータで、分相起動式単相モータを用いている。７はモータ部分のケーシング、８はケーシング下側のブラケット、９は前記回転刃板３に連結した回転軸、１０は起動リレーで、回転軸９のブラケット８側に取り付けた遠心スイッチ、１１はブラケット８に設けた孔、１２は前記孔１１に挿通させる操作棒である。
【０００８】
モータ６に通電すると補助巻線で遠心スイッチ１０の常閉接点を介して起動され、回転により遠心スイッチ１０が開路すると主巻線に切り替えられるが、たとえば、図３の橋絡片２３が振動で傾き、ケース２の内壁を円滑に滑らないなどの理由で、遠心スイッチ１０が不調になり接点の切り替えが行われない場合は、ブラケット８の孔１１から操作棒１２を破線で示すように挿入して遠心スイッチ１０に衝撃を与えることにより、遠心スイッチ１０内の歪みが解消されて接点の動作が円滑になり、起動を正常に行わせることができる。
【０００９】
なお、図２に示すように、操作棒１２に抜け止めフランジ１３を設け、ブラケット８の内側に係合させて保持させておけば、ブラケット外側の部分を持って上下動させることにより、回復操作を行うことができる。なお操作棒１２のブラケット外側部分にばね１４を設けておけば操作を行い易くすることができる。
【００１０】
【発明の効果】
このように本発明は、破砕室に回転刃をそなえ、この回転刃を駆動する分相起動モータを下方に取り付けているディスポーザーにおいて、前記分相起動モータを起動させる起動リレーを下側ブラケットの内側に設け、下側ブラケットに前記起動リレーに向けられた孔を設けているので、起動リレーが振動などによって不調になり起動ができない場合に、前記孔から操作棒を挿入して起動リレーに衝撃を与え、起動リレーの動作を回復させて起動を行わせることができ、ブラケット部分の分解をする手数を省き得る効果がある。
なお、ブラケットの孔に、抜け止めフランジをそなえた操作棒を設けておくことにより、必要な場合に操作棒の操作を直ちに行うことができる。
【図面の簡単な説明】
【図１】本発明の実施例を示すディスポーザーの側断面図である。
【図２】別の実施例を示す要部の拡大図である。
【図３】遠心スイッチの例を示す側断面図である。
【符号の説明】
１  ディスポーザー
２  破砕室
３  回転刃板
４  打撃刃
５  固定刃
６  モータ
７  ケーシング
８  下側のブラケット
９  回転軸
１０  起動リレー
１１  孔
１２  操作棒
１３  抜け止めフランジ
【図１】
2004305798.tif 000003
【図２】
2004305798.tif 000004
【図３】
2004305798.tif 000005